(57)【要約】【課題】プレゼンテーション時の表示画像の視認性を向上させるのに有利な画像調整方法を提供する。【解決手段】画像調整方法は、情報処理装置から画像データと、表示装置が表示する画像用の表示設定とを取得する取得工程（Ｓ７０２，Ｓ７０３）と、該表示設定を用いてプロファイルを作成し、作成したプロファイルを用いて表示装置から出力する画像の画像データに変換する変換工程（Ｓ７０４，Ｓ７１２）と、該画像データに含まれる第１コンポーネントと第２コンポーネントとの間の明度及び色度の差に関する視認性の評価値を演算する演算工程（Ｓ７１５）と、取得した視認性の評価値と、予め設定された基準値とを比較する比較工程（Ｓ７１６）と、比較工程で得られた比較結果が基準値を下回る場合に視認性が低いと判断し、明度または前記色度を変更することにより視認性を高める変更工程（Ｓ７１７）とを含む。【選択図】図７
2013114076.tif 000002
【特許請求の範囲】
【請求項１】
情報処理装置で作成された画像データを、表示装置から表示する画像データに調整するための画像調整方法であって、
前記情報処理装置から第１コンポーネントの情報及び第２コンポーネントの情報を含む画像データと、前記表示装置が表示する画像用の表示設定とを取得する取得工程と、
前記表示設定を用いて、ＲＧＢデータと明度及び色度とを関連付けたプロファイルを作成し、作成した前記プロファイルを用いて前記情報処理装置で作成された画像データを前記表示装置から出力する画像データに変換する変換工程と、
前記変換工程で変換された前記画像データに含まれる第１コンポーネントと第２コンポーネントとの間の明度及び色度の差に関する視認性の評価値を演算する演算工程と、
前記演算工程で取得した視認性の評価値と、予め設定された基準値とを比較する比較工程と、
前記比較工程で得られた比較結果が前記基準値を下回る場合に視認性が低いと判断し、前記明度または前記色度を変更することにより視認性を高める変更工程と、
を含むことを特徴とする画像調整方法。
【請求項２】
前記演算工程は、前記第１コンポーネントと前記第２コンポーネントの隣接色数を区画毎にカウントし、カウントした前記各区画の隣接色数を予め設定された評価基準値と比較し、前記各区画の隣接色についてそれぞれの視認性の評価値を演算する、ことを特徴とする請求項１に記載の画像調整方法。
【請求項３】
前記視認性の評価値は、Ｌ＊ｕ＊ｖ＊色差の関数である、ことを特徴とする請求項１に記載の画像調整方法。
【請求項４】
前記変更工程は、前記比較手段により得られた比較結果が前記基準値を下回る場合に視認性が低いと判断し、前記基準値を下回る領域の前記第１コンポーネントの色もしくは前記第２コンポーネントの色または前記第１コンポーネントの明度もしくは前記第２コンポーネントの明度を変更することにより強調処理を施す、ことを特徴とする請求項１に記載の画像調整方法。
【請求項５】
前記変更工程は、前記比較手段により得られた比較結果が前記基準値を下回る場合に視認性が低いと判断し、前記基準値を下回る領域の前記第１コンポーネントと前記第２コンポーネントとの境界を強調する強調処理を施す、ことを特徴とする請求項１に記載の画像調整方法。
【請求項６】
前記比較工程で得られた比較結果が前記基準値を下回る場合に視認性が低いと判断され、前記情報処理装置に対して警告を通知し、それにより前記情報処理装置を操作するユーザに強調処理の判断を促す警告工程をさらに含む、ことを特徴とする請求項１に記載の画像調整方法。
【請求項７】
前記警告工程を介して前記情報処理装置を操作するユーザに強調処理の判断を促した際に、前記ユーザによる強調処理の判断結果を保存する保存工程をさらに含む、ことを特徴とする請求項６に記載の画像調整方法。
【請求項８】
情報処理装置で作成された画像データを表示させる表示装置とネットワークを介して通信することができる画像調整装置であって、
前記情報処理装置から第１コンポーネントの情報及び第２コンポーネントの情報を含む画像データと、前記表示装置が表示する画像用の表示設定とを取得する取得手段と、
前記表示設定を用いて、ＲＧＢデータと明度及び色度とを関連付けたプロファイルを作成し、作成した前記プロファイルを用いて前記情報処理装置で作成された画像データを前記表示装置から出力する画像データに変換する変換手段と、
前記変換手段により変換された前記画像データに含まれる第１コンポーネントと第２コンポーネントとの間の明度及び色度の差に関する視認性の評価値を演算する演算手段と、
前記演算手段により取得した視認性の評価値と、予め設定された基準値とを比較する比較手段と、
前記比較手段により得られた比較結果が前記基準値を下回る場合に視認性が低いと判断し、前記明度または前記色度を変更することにより視認性を高める変更手段と、
を備えることを特徴とする画像調整装置。
【請求項９】
請求項１乃至７のいずれか１項に記載の画像調整方法をコンピュータに実行させることを特徴とする画像調整プログラム。
【請求項１０】
情報処理装置で作成された画像データを、表示装置から表示する画像データに調整するための画像調整方法であって、
前記情報処理装置から第１コンポーネントの情報及び第２コンポーネントの情報を含む画像データと、前記表示装置が表示する画像用の表示設定とを取得する取得工程と、
前記表示設定を用いて、ＲＧＢデータと明度及び色度とを関連付けたプロファイルを作成し、作成した前記プロファイルを用いて前記情報処理装置で作成された画像データを前記表示装置から出力する画像データに変換する変換工程と、
前記変換工程で変換された前記画像データに含まれる第１コンポーネントと第２コンポーネントとの間の明度及び色度の差に関する視認性の評価値を演算する演算工程と、
前記演算工程で取得した視認性の評価値と、予め設定された基準値とを比較する比較工程と、
前記比較工程で得られた比較結果が前記基準値を下回る場合に視認性が低いと判断され、前記情報処理装置に対して警告を通知し、それにより前記情報処理装置を操作するユーザに強調処理の判断を促す警告工程と、
を含むことを特徴とする画像調整方法。
【請求項１１】
前記警告工程を介して前記情報処理装置を操作するユーザに強調処理の判断を促した際に、前記ユーザによる強調処理の判断結果を保存する保存工程をさらに含む、ことを特徴とする請求項１０に記載の画像調整方法。
【請求項１２】
情報処理装置で作成された画像データを表示させる表示装置とネットワークを介して通信することができる画像調整装置であって、
前記情報処理装置から第１コンポーネントの情報及び第２コンポーネントの情報を含む画像データと、前記表示装置が表示する画像用の表示設定とを取得する取得手段と、
前記表示設定を用いて、ＲＧＢデータと明度及び色度とを関連付けたプロファイルを作成し、作成した前記プロファイルを用いて前記情報処理装置で作成された画像データを前記表示装置から出力する画像データに変換する変換手段と、
前記変換手段により変換された前記画像データに含まれる第１コンポーネントと第２コンポーネントとの間の明度及び色度の差に関する視認性の評価値を演算する演算手段と、
前記演算手段により取得した視認性の評価値と、予め設定された基準値とを比較する比較手段と、
前記比較手段により得られた比較結果が前記基準値を下回る場合に視認性が低いと判断し、前記情報処理装置に対して警告を通知し、それにより前記情報処理装置を操作するユーザに強調処理の判断を促す警告手段と、
を備えることを特徴とする画像調整装置。
【請求項１３】
請求項１０または１１に記載の画像調整方法をコンピュータに実行させることを特徴とする画像調整プログラム。
【発明の詳細な説明】
【技術分野】
【０００１】
本発明は、表示装置から表示するプレゼンテーション用画像の視認性を高めるための画像調整方法、画像調整装置及び画像調整プログラムに関する。
【背景技術】
【０００２】
ＰＣで作成された画像を複数名で視聴するためのモニタ装置として、プロジェクタ装置が使用されている。プロジェクタ装置は、ＰＣから電気信号であるＲＧＢ信号を入力し、入力されたＲＧＢ信号を画像としてスクリーン等に拡大投影することができる。ユーザは複数名で視聴するための資料をスライド画像データとして作成する場合、一般的にはプレゼンテーション用ソフトウェアを用いて作成する。ユーザは、プレゼンテーション用ソフトウェアを使用することで、ユーザ自身または発表者がプレゼンテーションで使用するスライド画像を意識しつつ全スライド画像に対し共通する背景を設定し、テキスト及びピクチャの大きさや配置の変更を行うことができる。さらにユーザは、全体構成を考慮し、効果的なプレゼンテーション資料を作成することもできる。
【０００３】
ユーザがプレゼンテーション用ソフトウェアを用いてスライドを作成する場合、一般的にはＰＣモニタを利用するが、ＰＣモニタでは複数名で視聴することが困難である。そこでユーザは、スライド作成時に使用したＰＣモニタではなく、プロジェクタ装置を介してプレゼンテーションを行う。この状況において、ユーザがスライド作成時に使用したＰＣモニタで表示される画像と、プレゼンテーション時に使用したプロジェクタ装置から表示される画像では、表示特性や、設置されている環境、または表示画面の大きさなどが異なる。そのためプレゼンテーションを行う環境下において、ユーザは表示されるスライドが適した色特性、階調特性を有するようにプロジェクタ装置を調整し、プロジェクタ装置から好適なスライド画像を表示することが望ましい。さらに、照明状態、スクリーン等の影響も無視することはできないため、プロジェクタ装置の管理者が画質改善のため、プロジェクタ装置の調整項目の適時調整を行う場合がある。
【０００４】
しかしながら、ユーザの多くは、スライド作成時にプレゼンテーションを行う環境や設備を把握しておらず、プロジェクタ装置の調整が禁止されている場合もある。そのため、ＰＣモニタとプロジェクタ装置では、表示される画像の見え方の違いが原因となり、プレゼンテーション時に発表者が意図しないスライドを表示せざるを得ない状況に陥る場合がある。上述した状況に陥らないために、ユーザは、プレゼンテーションを行う環境下を想定してスライド画像を作成する。例えば、ユーザは、背景色と文字色の使い分け、背景の明暗の使い分け、黄色系の色・淡い色・グラデーション、スライド画像の見え方を意識した配色など、複数のテクニックを使用することができる。しかしながら、現実にはプレゼンテーション環境に応じてそれらの複雑なテクニックを使い分ける必要がある。
【０００５】
特許文献１は、スライド作成時とプレゼンテーション時の状況を考慮し、スライド作成時に文字の読みやすさを客観的に評価する技術を開示している。具体的には、表示画面設計装置は、表示装置の特性に応じて表示画像の色信号を変換し、表示画像の文字及び背景の色差、色差の分解能を決定し、スクリーンサイズ、スクリーンまでの距離に応じて文字の読み易さを評価する。また、表示画面設計装置のプロジェクタ特性テーブルが、プロジェクタの特性に対応するようにＲＧＢデータのＲＧＢ値から輝度Ｌ、色度ｘ及びｙへと機種毎に変換する。
【０００６】
また、特許文献２は、プレゼンテーション表示機器とスライド作成表示機器の色再現性の差を検出する技術を開示している。具体的には、色見本データと作成表示装置特性データを用いて作成表示機器による表示をエミュレートし、色見本データとプレゼンテーション実行表示装置特性データを用いて実行表示機器による表示をエミュレートする。また、双方のエミュレート結果から色度差を算出し、領域分割毎の色度差を算出し、使用色判定情報を出力する。色見本データは複数色のカラーパレットである。また表示特性データは色再現性を示すデータであって、ＲＧＢの色度点および白色の色度点の情報を示す。
【先行技術文献】
【特許文献】
【０００７】
【特許文献１】特開２００３−４４８４９号公報
【特許文献２】特開２００４−１３９４９６号公報
【発明の概要】
【発明が解決しようとする課題】
【０００８】
特許文献１が開示する技術は、表示画面設計装置のプロジェクタ特性テーブルが、プロジェクタの特性に対応するように、ＲＧＢデータのＲＧＢ値から輝度Ｌ、色度ｘ及びｙへと機種毎に変換する。しかしながら、現実的には表示装置には複数の表示モードが存在する。さらに、表示装置はメニュー等によりその表示特性が変化する。そのため特許文献１が開示する表示特性テーブルでは、メニュー等により変化した表示特性に応えることが困難である。
【０００９】
例えば、現状販売されている一般的なプロジェクタ装置の表示特性としては、超高圧水銀ランプの分光特性や、ランプの光量を有効利用することで、明るくコントラストは高いものの若干白色が色づいている色度特性が存在する。また、複数の色フィルタを用いたカラーホイールを有するプロジェクタ装置の表示モードとしては、白表示時の光量を増大させるため、透過率の高い透明なフィルタを有し、単色であるＲＧＢの光量が暗く色再現性の低い表示モードが存在する。表示モードを有するプロジェクタ装置において、表示モードのような白色光量の高い表示モードだけでなく、白色光量は低下するが、色再現性を高める表示モードも存在する。さらに、特許文献１には、典型的なプロジェクタ装置の代表値を用いてもよいことが記載されているが、典型的なプロジェクタ装置の代表値などは実質的に存在するとは言い難い。
【００１０】
同様に、特許文献２についても、上述した複数の表示モードや設定メニューに関する記載は無い。また、表示特性テーブルを作成するためには、プレゼンテーション会場に設置された状態のプロジェクタ装置に対しカラーパレット等を入力しその特性を取得する必要がある。この特性を取得する作業は、プレゼンテーションファイルを作成した場所と異なる場所、例えばプレゼンテーション会場でプレゼンテーションを表示する場合、現実的ではない。たとえ特性を取得したとしても、ユーザまたは発表者自身がプロジェクタ装置から出力される画像の特性を判断しなければならない。
【００１１】
そこで、本発明は、プレゼンテーション時の表示画像の視認性を向上させるのに有利な画像調整方法を提供することを目的とする。
【課題を解決するための手段】
【００１２】
本発明の一実施形態の画像調整方法は、情報処理装置で作成された画像データを、表示装置から表示する画像データに調整するための画像調整方法であって、前記情報処理装置から第１コンポーネントの情報及び第２コンポーネントの情報を含む画像データと、前記表示装置が表示する画像用の表示設定とを取得する取得工程と、前記表示設定を用いて、ＲＧＢデータと明度及び色度とを関連付けたプロファイルを作成し、作成した前記プロファイルを用いて前記情報処理装置で作成された画像データを前記表示装置から出力する画像データに変換する変換工程と、前記変換工程で変換された前記画像データに含まれる第１コンポーネントと第２コンポーネントとの間の明度及び色度の差に関する視認性の評価値を演算する演算工程と、前記演算工程で取得した視認性の評価値と、予め設定された基準値とを比較する比較工程と、前記比較工程で得られた比較結果が前記基準値を下回る場合に視認性が低いと判断し、前記明度または前記色度を変更することにより視認性を高める変更工程とを含む。
【発明の効果】
【００１３】
本発明によれば、例えば、プレゼンテーション時の表示画像の視認性を向上させるのに有利な画像調整方法を提供することができる。
【図面の簡単な説明】
【００１４】
【図１】本発明の第１の実施形態に係るシステム構成例を示す図である。
【図２】本発明の第１の実施形態に係る画像調整装置の機能ブロック図である。
【図３】画像調整装置が取得する各種情報及び該装置が行う信号処理を示す。
【図４】三刺激値ＸＹＺへの変換式の例を示す図である。
【図５】第１の実施形態に係る方法で処理される画像データの説明図である。
【図６】背景明度と色度の変換処理を説明する図である。
【図７】第１の実施形態における処理の流れを示すフローチャートである。
【図８】第２の実施形態における処理の流れを示すフローチャートである。
【図９】第２の実施形態に係る方法で処理される画像データの説明図である。
【図１０】第３の実施形態における処理の流れを示すフローチャートである。
【図１１】第４の実施形態における処理の流れを示すフローチャートである。
【発明を実施するための形態】
【００１５】
以下、本発明の一実施形態に係る画像調整装置について図面を参照して説明する。尚、以下に示す各実施形態は本発明の画像調整装置の好適な具体例であり、技術的に好ましい種々の限定を付している場合もあるが、本発明の技術範囲は、特に本発明を限定する記載がない限り、これらの態様に限定されるものではない。また、以下に示す実施形態における構成要素は適宜、既存の構成要素等との置き換えが可能であり、かつ、他の既存の構成要素との組合せを含む様々なバリエーションが可能である。従って、以下に示す実施形態の記載をもって、特許請求の範囲に記載された発明の内容を限定するものではない。
【００１６】
（第１の実施形態）
まず、図１について説明する。図１に示す画像調整システムは、ＰＣ１０１、ＰＣモニタ１０２、モニタケーブルＡ１０３、キーボード１０４、ＰＣマウス２０５、プロジェクタ装置１０６、スクリーン１０７、モニタケーブルＢ１０８、プロジェクタ装置通信ケーブル１０９で構成されている。
【００１７】
ＰＣ１０１及びＰＣモニタ１０２は、モニタケーブルＡ１０３を介して接続される。ＰＣ１０１及びプロジェクタ装置１０６は、モニタケーブルＢ１０８及びプロジェクタ装置通信ケーブル１０９を介して接続される。また、ＰＣ１０１は、キーボード１０４及びＰＣマウス２０５とネットワークを介して接続される。各構成要素は、ネットワークを介すことにより、互いにデータ通信を行うことができる。なお、プロジェクタ装置通信ケーブル１０９は、ネットワークを介してＰＣ１０１からプロジェクタ装置１０６を制御するための信号を通信するネットワークケーブルであってもよい。
【００１８】
ＰＣ１０１は、情報処理装置として機能し、プレゼンテーション用ソフトウェアを実行する。ユーザは、モニタケーブルＡ１０３を介してＰＣ１０１に接続されているＰＣモニタ１０２を操作し、スライド画像の作成、編集または確認作業を行なうことができる。ユーザは、プレゼンテーションを行う際に、モニタケーブルＢ１０８を介して接続されているプロジェクタ装置１０６を用い、作成したスライド画像を表示する。モニタケーブルＡ１０３及びモニタケーブルＢ１０８はＲＧＢ信号だけでなく、ＶＥＳＡの定めるモニタの制御に使用されるＤＤＣ／ＣＩ、同じくＤＤＣラインを用いてモニタ情報を通信するＥＤＩＤ、または他の信号線を用いた制御信号等の通信も媒介してよい。
【００１９】
なお、ＶＥＳＡとはＶｉｄｅｏ  Ｅｌｅｃｔｒｏｎｉｃｓ  Ｓｔａｎｄａｒｄｓ  Ａｓｓｏｃｉａｔｉｏｎの略称である。また、ＤＤＣ／ＣＩとはＤｉｓｐｌａｙ  Ｄａｔａ  Ｃｈａｎｎｅｌ／Ｃｏｍｍａｎｄ  Ｉｎｔｅｒｆａｃｅの略であり、ＥＤＩＤとはＥｘｔｅｎｄｅｄ  Ｄｉｓｐｌａｙ  Ｉｄｅｎｔｉｆｉｃａｔｉｏｎ  Ｄａｔａの略である。
【００２０】
図１に示すスライド画像について説明する。ＰＣモニタ１０２に表示されているスライド画像と、プロジェクタ装置１０６で表示しているスライド画像は同じ情報を表示しているが、厳密には一致しない。なぜなら、ＰＣモニタで表示される画像と、プロジェクタ装置から表示される画像では、表示特性や、設置されている環境、表示画面の大きさなどが異なるためである。スライド画像は、４つのテキストコンポーネント、１つの矢印コンポーネント及び１つのピクチャコンポーネント（第１コンポーネント）、並びに背景画像コンポーネント（第２コンポーネント）で構成されている。４つのテキストコンポーネントとは、「ｔｅｘｔ１ｔｅｘｔ１」、「ｔｅｘｔ２ｔｅｘｔ２ｔｅｘｔ２ｔｅｘｔ２」、「ｔｅｘｔ３」及び「ｔｅｘｔ４」である。
【００２１】
次に、図２の機能ブロック図を参照して図1に示すＰＣ１０１が備えるプレゼンテーション用ソフトウェアの各機能を説明する。図２に示す画像形成装置２０１は、ＰＣ１０１が備えるプレゼンテーション用ソフトウェアにより実現される。画像形成装置２０１は、通信部２０２、制御部２０３、記憶部２０４、比較部２０５、強調部２０６及び警告部２０７を備える。
【００２２】
通信部２０２は、ＰＣモニタ１０２及びプロジェクタ装置１０６と通信し、ＲＧＢデータなど各種データの送受信を行う。制御部２０３は、ＰＣモニタ１０２及びプロジェクタ装置１０６の各種データを通信部２０２から受け取り、プロジェクタ装置１０６を介して投影される表示画像データを作成するため、演算処理を行う。記憶部２０４は、制御部２０３からの指示を受け、ＰＣモニタ１０２を介してユーザが作成した画像データを記憶する。また、記憶部２０４はプロジェクタ装置１０６から取得した印刷設定及び演算方法、並びに制御部２０３が作成したプロファイル及びプロジェクタ装置１０６を介して投影される表示画像データなども記憶する。比較部２０５は、制御部２０３が演算したことにより得られた視認性の評価値を既定の基準値と比較する。強調部２０６は、比較部が視認性の評価値を既定の基準値よりも低いと判定した場合に、背景明度／色度の変換処理を行なう。警告部２０７は、通信部２０２を介してＰＣモニタに表示させるための警告を通知する。プレゼンテーション用ソフトウェアは、ＰＣ１０１に組み込まれた不図示のＣＰＵ（Ｃｅｎｔｒａｌ  Ｐｒｏｃｅｓｓｉｎｇ  Ｕｎｉｔ）により各種機能を実現する。
【００２３】
以下、図３〜図６を参照して図７に示す第１の実施形態のフローチャートを説明する。Ｓ７０１で、ユーザがＰＣモニタ１０２を介してプロジェクタ装置１０６でプレゼンテーション用画像を表示することを選択する。すなわち、図１に示す４つのテキスト、矢印、ピクチャ及び背景で構成されたプレゼンテーション用ファイルに対し、スライド表示コマンドが選択され、通信部２０２はスライドの画像データを受け取る。Ｓ７０２で、通信部２０２は、スライド表示装置であるプロジェクタ装置１０６と通信ケーブル１０９もしくはモニタケーブル１０８を介して機種名を取得する。この時に通信部２０２は、モニタケーブル１０８を介して上述のＥＤＩＤを使用する場合はＲＧＢ及び白色の色度を取得する事もできる。
【００２４】
次に通信部２０２は、表示モードや設定メニューに応じたプロジェクタ装置１０６の画像処理アルゴリズム等、ＲＧＢ信号に対するデータ処理手法等を通信ケーブル１０９を介して取得する。ＤＤＣ／ＣＩ、ネットワークまたはその他の通信ケーブル等を使用してＰＣ１０１からプロジェクタ装置１０６を制御している場合に、通信部２０２は、ＰＣとプレゼンテーション用ソフトウェア間の通信だけで、表示モードや設定メニューの情報を得る事もできる。Ｓ７０３で、ＲＧＢ及び白色の色度、並びにＲＧＢガンマ値などが通信され、通信部２０２は、入力ＲＧＢデータとプロジェクタから出力される明度及び色度、すなわち画像調整の設定値を取得する。すなわち、通信部２０２は、画像データと、前記表示装置が表示する画像用の表示設定とを取得する取得手段として機能する。
【００２５】
Ｓ７０４で、制御部２０３はＳ７０２及びＳ７０３で得た情報を基に、プロジェクタ装置１０６から入力されたＲＧＢデータと出力明度及び色度との関係を表すプロファイルを作成する。プロファイルの詳細については後述する。Ｓ７０５で、制御部２０３は図２に示すプレゼンテーションファイル画像から、ピクチャコンポーネント領域を除去する。Ｓ７０６で、制御部２０３はピクチャコンポーネントを除去した後に残った領域の色数をカウントする。
【００２６】
なお、図２に示すシミュレーションファイル画像に含まれる４つのテキストコンポーネントは、各々色が異なり、縁取りされていないものとする。さらに、矢印コンポーネントの色は、テキスト色とは異なるものとする。背景は単色のグラデーションで２５６色が使用されているものとする。すなわち、制御部２０３は、色数が４＋１＋２５６＝２６１色であるとカウントする。ここで、Ｓ７０７、Ｓ７９８、Ｓ７１０、Ｓ７１４、Ｓ７９９及びＳ７１８に示すｉは、繰返し演算を行なうための変数である。
【００２７】
Ｓ７０８で、制御部２０３は、ピクチャコンポーネント以外のプレゼンテーション画像で使用されている２６１色を、Ｓ７０４で作成したプロファイルを使用して、プロジェクタ装置１０６が投射する色に変換する。すなわち制御部２０３は、ＰＣ１０１で作成された画像の色データをプロジェクタ装置１０６から出力する画像の色データに変換する変換手段として機能する。Ｓ７０９で制御部２０３は、変換した色データを記憶部２０４に記憶させる。制御部２０３により変換した色データは、ＰＣ１０１が内蔵する別の記憶部に記憶してもよい。ユーザがプレゼンテーションファイル画像の出力対象としてプレゼンテーション表示装置であるプロジェクタ装置１０６を選択している場合（Ｓ７１１）、制御部２０３は視認性評価処理および色変換処理を行う。ＰＣ１０１が複数の出力端子を持つ場合は、前述したＥＤＩＤ等を用いて、プロジェクタ装置１０６から出力される画像の色のみが色変換処理される。Ｓ７１２で、制御部２０３は、テキスト、矢印コンポーネントおよび背景色を、記憶部２０４に保存されている色変換情報を用いて変換する。
【００２８】
次に、Ｓ７１３で制御部２０３は、プロジェクタ装置１０６が表示する色へと変換したテキストコンポーネントと背景の隣接色数及び矢印コンポーネントと背景の隣接色数をカウントする。図２に示すプレゼンテーション画像の場合、「Ｔｅｘｔ１」コンポーネントと背景との隣接色数は３２とし、「Ｔｅｘｔ２」コンポーネントと背景との隣接色数は６４とする。「Ｔｅｘｔ３」コンポーネントと背景との隣接色数は３２とし、「Ｔｅｘｔ４」コンポーネントと背景との隣接色数が３２とする。そして矢印コンポーネントと背景との隣接色数は６４とする。この場合、全隣接色数は２２４となる（Ｓ７１３）。Ｓ７１４、Ｓ７１５、Ｓ７１６、Ｓ７１７、及びＳ７１８で行う処理により、コンポーネントと背景との視認性を評価する（Ｓ７１５）。すなわち制御部２０３は、コンポーネントと背景との間の明度及び色度に関する視認性の評価値を演算する演算手段としても機能する。Ｓ７１６で比較部２０５は、得られた評価値を既定の基準値と比較する。すなわち比較部２０５は、視認性の評価値と、予め設定された基準値とを比較する比較手段として機能する。
【００２９】
Ｓ７１７で強調部２０６は、比較部２０５が比較結果に基づき、評価値が基準値を下回り、視認性が悪いと判定した場合、視認性を高めるために、背景の明度または色度を変更する。すなわち、強調部２０６は明度または色度を変更することにより視認性を高める変更手段として機能する。変更の結果、Ｓ７１９でプロジェクタ装置１０６は、コンポーネントの視認性が高まるように背景の色を変換した画像を出力する。
【００３０】
図３は、第１の実施形態のフローチャートである図７におけるＳ７０２、Ｓ７０３、Ｓ７０４の説明図である。すなわち、通信部２０２は、図３（Ａ）に示すスライド表示装置の機種及び調整設定値を取得する。また通信部２０２は、図３（Ｂ）に示す具体的な演算順序、処理手法も取得する。図３（Ａ）に示すように、通信部２０２は、スライド表示装置の機種として製品名を、調整設定値として、表示モード、Ｒゲイン、Ｒオフセット、Ｒガンマ、及び色補正Ａの設定値を受け取る。本図では、Ｇ及びＢの設定値や他の色補正などの設定メニュー値はＲと類似であり簡略のため省略している。
【００３１】
図３（Ｂ）には、図３（Ａ）に示す調整設定値に対応した演算順序、処理手法が示されている。図の上部から順に、表示モードに対応するＲＧＢ色度と白及び黒の色度とが記されている。また、図３（Ａ）には、設定メニュー値内のガンマ調整値がデフォルト（一般的には±０）時のガンマ値が記されている。
【００３２】
制御部２０３は、これらの数値を用いて単純に演算できないと判断した場合に、図３（Ｃ）に示すように、記憶部２０４に予め設定し、記憶した表示モード時のデフォルト時における入出力状態を表す対応表を用いて演算することもできる。図３（Ｃ）に示すように、ＲＧＢはデフォルトの入力ＲＧＢデータ値であり、ＸＹＺは国際照明委員会（ＣＩＥ）の定めるＸＹＺ表色系の三刺激値である。
【００３３】
また図３（Ｂ）には、「Ｒゲイン：＋５」に対応する「１：×１.０５」、「Ｒオフセット：−３」に対応する「２：−６」等、図３（Ａ）に対応する具体的な処理順序、処理手法が記されている。例えば、「１：×１.０５」は「一番目の処理で入力を×１.０５倍」する事を意味する。図３（Ａ）に示す「色補正Ａ」に対応する、図３（Ｂ）に示す「ＹＣＣ（６０１）色空間：補間Ａ」は、「国際電気通信連合の定義するＩＴＵ−Ｒ．ＢＴ６０１色空間において演算し、補間Ａ処理を行なうこと」を意味する。続く「肌色１：＋３，＋３」は「３（番目の処理）、＋１５０度の色相データを＋３度回す色相処理を施し、＋３％彩度を高める」という処理を意味する。「肌色１：＋３，＋３」以降に記載されている調整設定値に対応する処理は、前述と同様の処理であり説明は省略する。
【００３４】
図３（Ｄ）は、制御部２０３がプロファイルを作成する際の信号処理手順を示す。図３（Ｄ）に示すように、３０１、３０２、３０３は入力部であり、ＲＧＢデータの各データが入力される。制御部２０３は、３０４、３０５、３０６でＲＧＢ各データに対する一番目の処理であるゲイン処理を行う。次いで、制御部２０３は、３０７、３０８、３０９でゲイン処理を、３０４、３０５、３０６で出力に対する二番目の処理であるＲＧＢに対するオフセット処理を行う。３１０は三番目の処理である色補正Ａである。具体的には、制御部２０３はＲＧＢから前述のＩＴＵ−Ｒ．ＢＴ６０１色空間へのマトリクス処理、ＩＴＵ−Ｒ．ＢＴ６０１色空間における色の処理を行う。その後、制御部２０３は、図３（Ｂ）に示す補間Ａとして記されている補間処理、ＩＴＵ−Ｒ．ＢＴ６０１色空間からＲＧＢへの逆マトリクス演算を行う。図３（Ａ）及び図３（Ｂ）には詳細を示していないが、制御部２０３は四番目の処理を行ってもよく、図３（Ｄ）に示す３１１の処理が挙げられる。３１１では任意の設定による処理が行われてよく、それにより、より正確な三刺激値ＸＹＺが得られる。
【００３５】
図３（Ｄ）に示す３１２、３１３、３１４は、ＲＧＢデータに対する五番目の処理であるガンマ処理であり、図３（Ａ）（Ｂ）に示すように、制御部２０３は、デフォルト状態のガンマ値に対し、「−０．４」のガンマ処理を行う。例えば、モニタガンマ基準値が２.２である場合に、ガンマ処理値「−０.４」が、前記基準値２.２に対する表示モードＡにおけるガンマ変化量とすると、２．２から０．４をマイナスした１．８が本メニュー状態でのＲ信号に対するガンマ処理となる。このときのガンマ処理において、ガンマ処理３１２、３１３、３１４に対する入出力の関係は、出力  ＝  入力  ＾  （１．８／２．２）という関係式で表される。
【００３６】
制御部２０３は、ガンマ処理を行った後、３１５で示す三刺激値演算処理を行う。具体的には、制御部２０３は、３１２、３１３、３１４で行ったガンマ処理から出力されたＲＧＢデータに対し、ＲＧＢ色度、白及び黒色度、デフォルト状態でのＲＧＢガンマ値を用いてＣＩＥが定める三刺激値ＸＹＺへの変換処理を行う。ここで、ＲＧＢ色度、白及び黒色度は各色に対する三刺激値ＸＹＺである。
【００３７】
図４はデフォルト状態のＲＧＢのガンマ値がそれぞれ２．２である時に、制御部２０３が正規化することにより０以上１以下となったＲＧＢデータに対し三刺激値演算処理３１５を介して出力する三刺激値ＸＹＺへの変換式の例である。ここで、Ｘｒ、Ｙｒ、ＺｒはＲＧＢ色度のＲデータの三刺激値である。同様にＸｇ、Ｙｇ、ＺｇはＧデータ、Ｘｂ、Ｙｂ、ＺｂはＢデータの三刺激値を表し、Ｘｋ、Ｙｋ、Ｚｋは黒に対する三刺激値を表している。この変換式の例では、制御部２０３は入力されたＲＧＢデータが８ビットデータであれば２５５で除算した後、２．２乗演算し、マトリクス演算し、さらに黒に対する三刺激値を加算して演算する。制御部２０３は、演算の結果得られた三刺激値ＸＹＺをプロジェクタ装置１０６から入力されたＲＧＢデータと関連付けてプロファイルとし、該プロファイルを記憶部に記憶させる。
【００３８】
次に、図５及び図６を用いて、図７に示すステップＳ７１５、Ｓ７１６及びＳ７１７で画像調整装置２０１が行う視認性評価および背景明度／色変換を説明する。図５（Ａ）はＳ７１２で制御部２０３が行った、表示装置色に変換されたプレゼンテーション表示装置画像である。
【００３９】
図５（Ｂ）は、図５（Ａ）のＴｅｘｔ１コンポーネントの一部拡大図である。図５（Ｂ）に示すように、「１」という数字はテキストコンポーネントの一部である。本実施形態では、背景がグラデーションになっている。図５（Ｂ）に示すように、テキスト色はＴ０であり、背景画像は６レベルの区画からなっており、背景色は上からＢ０、Ｂ１、Ｂ２、Ｂ３、Ｂ４、Ｂ５となっている。従って、Ｓ７１３で制御部２０３は、図５（Ｂ）に示される領域のコンポーネントと背景の隣接色数をカウントし、６色であると判定する。
【００４０】
図５（Ｃ）はテキスト色と背景色の視認性評価値の例を示す。制御部２０３は、図３（Ｄ）に示す３１６、３１７、３１８から出力される三刺激値を用いて視認性の評価値を演算する。また、本実施形態では、テキストコンポーネントの三刺激値は（ＸＴＯ、ＹＴＯ、ＺＴＯ）であり、６レベルの背景の三刺激値は上から（ＸＢＯ、ＹＢＯ、ＺＢＯ）、（ＸＢ１、ＹＢ１、ＺＢ１）、．．．、（ＸＢ５、ＹＢ５、ＺＢ５）である。この時、視認性の評価値は、ＣＩＥの明度Ｌ＊（エルスター）、色度ｕ＊（ユースター）、及びｖ＊（ブイスター）、から計算されるＬ＊ｕ＊ｖ＊色差を用いて、以下の式（１）として表すことができる。
【数１】
2013114076.tif 000003
視認性評価値＝ｆ（Ｌ＊ｕ＊ｖ＊色差）
ここで、テキスト色（Ｔ０）と一番上の背景色（Ｂ０）に対するＬ＊ｕ＊ｖ＊色差は、白入力に対する表示装置色をＸＷ、ＹＷ、ＺＷとする時、以下の式（２）を用いて演算することができる。
【数２】
2013114076.tif 000004
Ｌ＊ＴＯ＝１１６×（ＹＴＯ／ＹＷ）＾（１／３）−１６
Ｌ＊ＢＯ＝１１６×（ＹＢＯ／ＹＷ）＾（１／３）−１６
ｕ＊ＴＯ＝１３×Ｌ＊ＴＯ×（ｕＴＯ−ｕＷ）
ｕ＊ＢＯ＝１３×Ｌ＊ＢＯ×（ｕＢＯ−ｕＷ）
ｖ＊ＴＯ＝１３×Ｌ＊ＴＯ×（ｖＴＯ−ｖＷ）
ｖ＊ＢＯ＝１３×Ｌ＊ＢＯ×（ｖＢＯ−ｖＷ）
ｕＴＯ＝４×ＸＴＯ／（ＸＴＯ＋１５×ＹＴＯ＋３×ＺＴＯ）
ｖＴＯ＝９×ＹＴＯ／（ＸＴＯ＋１５×ＹＴＯ＋３×ＺＴＯ）
ｕＢＯ＝４×ＸＢＯ／（ＸＢＯ＋１５×ＹＢＯ＋３×ＺＢＯ）
ｖＢＯ＝９×ＹＢＯ／（ＸＢＯ＋１５×ＹＢＯ＋３×ＺＢＯ）
ｕＷ＝４×ＸＷ／（ＸＷ＋１５×ＹＷ＋３×ＺＷ）
ｖＷ＝９×ＹＷ／（ＸＷ＋１５×ＹＷ＋３×ＺＷ）
制御部２０３は、他の背景色（Ｂ１〜Ｂ５）に対しても同様の演算を行う。
【００４１】
ここで、関数ｆ（Ｌ＊ｕ＊ｖ＊色差）は、三刺激値Ｘ、Ｙ、Ｚが等しく同じ色であるときを１００、Ｌ＊ｕ＊ｖ＊色差が大きい時ほど小さくなるような変換式である。例えば、以下の式（３）として表すことができる。
ｆ（Ｌ＊ｕ＊ｖ＊色差）＝１００−Ｎ×（Ｌ＊ｕ＊ｖ＊色差）        ・・・式（３）
Ｎ：任意の数
【００４２】
上記評価値を用いて、テキスト色に対する６レベルの各背景色を評価した時の結果を図５（Ｃ）に示す。各レベル、すなわち区画毎の評価値は、背景（Ｂ０）に対し９０、背景（Ｂ１）に対し８５、背景（Ｂ２）に対し８０、背景（Ｂ３）に対し７５、背景（Ｂ４）に対し７０、背景（Ｂ５）に対し６５になっている。ここで、評価基準値を８０と設定していた場合、制御部２０３は背景色Ｂ０、背景色Ｂ１及び背景色Ｂ２が評価基準値以上であり、背景明度／色度の変換対象とはならないと判断する。制御部２０３は背景色Ｂ３、背景色Ｂ４及び背景色Ｂ５は評価基準値未満であると判断し、強調部２０６に背景明度／色度の変換処理を行なうように指示する。図５（Ｄ）は強調部２０６が背景明度／色度の変換処理を行った後のプレゼンテーション用表示画像である。図５（Ｄ）に示すように、図５（Ｂ）に示す背景色Ｂ３、背景色Ｂ４及び背景色Ｂ５が、背景色Ｂ３ｃ、背景色Ｂ４ｃ及び背景色Ｂ５ｃに変換されている。
【００４３】
図６は、背景明度／色度の変換処理を説明する図である。図６（Ａ）はテキスト色（Ｔ０）及び背景色（Ｂ０〜Ｂ５）の明度Ｌ＊を表し、図６（Ｂ）は、テキスト色（Ｔ０）及び背景色（Ｂ０〜Ｂ５）のｕ＊、ｖ＊の色度座標を表す。図６（Ｂ）には、強調部２０６が背景明度／色度を変換処理することによって、色度を変換したＢ３ｃ、Ｂ４ｃ及びＢ５ｃも記されている。図６（Ｂ）は、色度のみの処理を示している。評価基準値よりも評価値が低いほど色度の変換処理量を大きくする必要があるため、図に示すように、Ｂ３からＢ３ｃへの色相変換角度よりＢ５からＢ５ｃへの色相変換角度の方が大きい。
【００４４】
第１の実施形態では、視認性評価式にＣＩＥのＬ＊ｕ＊ｖ＊色差式を用いた実施形態として表記しているが、評価式及び評価値は限定されるものではない。さらに、背景明度／色度の変換処理量として評価値と基準値との差に応じた色相角変換量を記述しているが、背景の明度または色度の一方のみを視認性の評価値として決める方法を用いてもよい。また、本実施形態において、ＰＣ１０１がプレゼンテーション用ソフトウェアを備えている例を記載したが、プロジェクタ装置１０６が該ソフトウェア備えることも可能である。
【００４５】
（第２の実施形態）
図８は、本発明に係る第２の実施形態のフローチャートである。なお、Ｓ８０１からＳ８１６までの処理は第１の実施形態におけるＳ７０１からＳ７１６までと同様であるため説明は省略する。Ｓ８１６で、比較部２０５は評価結果を既定の基準値と比較する。Ｓ８１７で、比較部が該評価結果が既定の基準値より低いと判断した場合、そのコンポーネント隣接エリアは視認性が低く表示情報が識別困難なエリアであると判断する。Ｓ８２０で、強調部２０６は視認性の低いエリアに対しエッジ強調または縁取り処理を行ない、処理を施した画像データを制御部２０３を介して通信部２０２に渡す。Ｓ８１９で、通信部２０２から画像データを受け取ったプロジェクタ装置１０６は、全コンポーネントに対し視認性が高まるように色変換された画像を出力する。
【００４６】
図９は、第２の実施形態のＳ８２０で強調部２０６が行ったエッジ強調または縁取り処理の詳細図である。図９（Ａ）、図９（Ｂ）及び図９（Ｃ）は図６の図６（Ａ）、図６（Ｂ）及び図６（Ｃ）に類似しているため、説明は省略する。図９（Ｄ）の実線で囲まれたエリアは、図８のＳ８１７で比較部２０５が視認性が低いと判断したエリアを表している。具体的には、テキスト色Ｔ０と背景色Ｂ３、テキスト色Ｔ０と背景色Ｂ４、テキスト色Ｔ０と背景色Ｂ５の境界部分である。
【００４７】
図９（Ｅ）は、図８のＳ８２０で強調部２０６が行った基準値未満エリア処理の一例を示す図である。強調部２０６は、図８（Ｄ）で説明した視認性が低いエリア部の明度に対し、エッジ強調処理を施す。すなわち、強調部２０６は評価値の高いＢ３エリアより評価値の低いＢ４及びＢ５エリアに対し、強度を強めたエッジ強調処理を施す。強調部２０６は、テキストコンポーネント側にもエッジ強調処理が施すが、Ｔ０の明度レベルが高いためプロジェクタ装置１０６が表示する画像に変化はおきない。
【００４８】
同様に、図９（Ｆ）は図８のＳ８２０で強調部２０６が行った基準値未満エリア処理の別の例を示す。この例では、強調部２０６は、図８（Ｄ）で表される視認性が低いエリア部Ｂ３〜Ｂ５が同じ明度になるように縁取り処理を施す。
【００４９】
第２の実施形態における、エッジ強調処理量は、評価値と基準値との差に応じた処理強度を記述しているが、必ずしも評価値と基準値との差に応じて変化させる必要はない。また、エッジ強調の強度や縁取り処理の縁の太さまたは濃さも一定である必要はない。例えば、表示解像度、設定メニューのうち解像感に関与するメニューである「シャープネス／ソフトネス」、明度を制御するメニューである「ゲイン／オフセット／ガンマ」などに連動して変化させてもよい。
【００５０】
（第３の実施形態）
図１０は、本発明に係る第３の実施形態のフローチャートである。なお、Ｓ１００１からＳ１０１６までの処理は、図７のＳ７０１からＳ７１６までと同様であるため説明は省略する。Ｓ１０１６で比較部２０５は評価結果を既定の基準値と比較する。比較部２０５は、評価結果が基準値より低いと判断した場合、そのコンポーネント隣接エリアは視認性が低く、表示される画像が識別困難なエリアであると判断する。
【００５１】
Ｓ１０１７で、比較部２０５は、基準値未満のエリアの数、例えば図５に示すＢ３〜Ｂ５の数をカウントする。比較部２０５は、カウント結果の数と既定の警告カウント情報の数とを比較する。比較部２０５は、カウント結果の数が既定の警告カウント情報の数と等しいまたは上回る場合は、通信部２０２を介してＰＣモニタに警告表示、例えばコンポーネントと隣接するコンポーネントとの差異を明確にするための強調処理を促す警告表示を行う。なお、警告カウント情報とは、基準値未満エリアが既定数以上であるとき警告を表示させる数値を表す情報である。警告カウント情報は、ユーザが設定しても良い。
【００５２】
ＰＣモニタ１０２に表示された警告表示によりユーザは、視認性処理の判断を行う。警告表示に対し、視認性の処理を行なわないとユーザが決定した場合は、Ｓ１０１９でプロジェクタ装置１０６が視認性の処理を行っていない画像を出力する。一方、警告表示に対し、視認性の処理を行なうとユーザが決定した場合、通信部２０２は視認性の処理指示を受け取り、制御部２０３に渡す。制御部２０３は視認性の処理指示を受け取ると、Ｓ１０２１で強調部２０６に視認性の処理を行わせる。Ｓ１０２１で強調部２０６が行う視認性の処理は、第１の実施形態のＳ７１７で行う処理または第２の実施形態のＳ８２０で行う処理である。その後Ｓ１０１９で、プロジェクタ装置１０６は、視認性の処理が行われた画像を通信部２０２を介して受け取り、該画像を出力する。
【００５３】
（第４の実施形態）
図１１は、本発明に係る第４の実施形態のフローチャートである。Ｓ１１０１及びＳ１１０２の処理は、第１の実施形態のＳ７０１及びＳ７０２と同様である。Ｓ１１２２で制御部２０３は、記憶部２０４を参照し、Ｓ１１０２で取得した機器に対する表示機器情報ファイルを検索する。記憶部２０４が表示機器情報ファイルを所持していない場合、Ｓ１１２３で制御部２０３は、通信部２０２を介してプロジェクタ装置１０６から表示機器情報ファイルを取得する。なお、表示機器情報ファイルとは、図３（Ｂ）を参照して説明した情報のさらに詳細な情報である。図３（Ｂ）に示す図３（Ａ）に対応した演算順序、処理方法の情報であるのに対し、表示機器情報ファイルは、表示機器のあらゆる表示モード、設定メニュー値に対応する処理順序、処理方法を含む。具体的には、ＲＧＢ色度や白／黒色度やガンマ特性などの表示特性、ＲＧＢデータ処理順序、ＲＧＢデータ処理方法である。Ｓ１１０４で、制御部２０３は取得した表示機器情報ファイルを基にプロファイルを作成する。以降Ｓ１１０５〜Ｓ１１２１までの処理は図１０のＳ１００５〜Ｓ１０２１までの処理と同様であるため説明は省略する。
【００５４】
（第５の実施形態）
次に第５の実施形態について説明する。第５の実施形態では、図１１で示したＳ１１１９での映像出力に代わりファイルが保存される。Ｓ１１１９で、ＰＣモニタ１０２に表示された警告表示に対し、ユーザが視認性の処理を行なわないと判断した場合、制御部２０３は強調部２０６に視認性の処理を行わせず、記憶部２０４に判断結果としてファイルを保存させる。一方、警告表示に対し、ユーザが視認性処理を行なうと判断した場合、Ｓ１１２１で制御部２０３は視認性の処理を行い、Ｓ１１１９で変更した画像データのファイルを判断結果として記憶部２０４に保存させる。
【００５５】
なお、制御部２０３は、現状のアプリケーションファイル形式で保存してもよく、その他の形式、例えば静止画像として未圧縮もしくは圧縮処理後に保存してもよい。さらに、複数スライド画像を複数の静止画像として１ファイルに未圧縮もしくは圧縮処理後における保存、または複数スライド画像を複数のナンバリングされた静止画像ファイルとして未圧縮もしくは圧縮処理後における保存を行なう場合も含まれる。
【００５６】
（画像調整プログラム）
また、本発明は、以下の処理を実行することによっても実現される。即ち、上述した実施形態の機能を実現するソフトウェア（コンピュータプログラム）を、ネットワーク又は各種記憶媒体を介してシステム或いは装置に供給する。そしてそのシステム或いは装置のコンピュータ（またはＣＰＵやＭＰＵ等）がプログラムを読み出して実行する処理である。この場合、そのプログラム、及び該プログラムを記憶した記憶媒体は本発明を構成することになる。
【符号の説明】
【００５７】
１０１  ＰＣ
１０２  ＰＣモニタ
１０６  プロジェクタ装置
１０７  スクリーン
【図１】
2013114076.tif 000005
【図２】
2013114076.tif 000006
【図３】
2013114076.tif 000007
【図４】
2013114076.tif 000008
【図５】
2013114076.tif 000009
【図６】
2013114076.tif 000010
【図７】
2013114076.tif 000011
【図８】
2013114076.tif 000012
【図９】
2013114076.tif 000013
【図１０】
2013114076.tif 000014
【図１１】
2013114076.tif 000015